(57)【要約】【課題】セキュリティを向上させる。【解決手段】情報処理装置と携帯端末とを有する情報処理システムであって、前記情報処理装置は、ユーザに対して交付される文書の情報を所定のフォーマットに対応するように加工し、加工した前記文書の情報を暗号化する加工手段を有し、前記携帯端末は、前記加工手段により暗号化された前記文書の情報を読み取る読取手段と、前記読取手段により読み取られた前記文書の情報を記憶する記憶手段と、前記記憶手段により記憶された前記文書の情報を、前記文書の情報に基づき前記ユーザに対象物を提供する提供先で出力する出力手段とを有することにより上記課題を解決する。【選択図】図１
2016177461.tif 000002
【特許請求の範囲】
【請求項１】
情報処理装置と携帯端末とを有する情報処理システムであって、
前記情報処理装置は、
ユーザに対して交付される文書の情報を所定のフォーマットに対応するように加工し、加工した前記文書の情報を暗号化する加工手段を有し、
前記携帯端末は、
前記加工手段により暗号化された前記文書の情報を読み取る読取手段と、
前記読取手段により読み取られた前記文書の情報を記憶する記憶手段と、
前記記憶手段により記憶された前記文書の情報を、前記文書の情報に基づき前記ユーザに対象物を提供する提供先で出力する出力手段とを有することを特徴とする情報処理システム。
【請求項２】
前記提供先は、
前記携帯端末から前記暗号化された情報を取得する取得手段と、
前記読取手段により得られた前記暗号化された情報を復号する復号手段とを有することを特徴とする請求項１に記載の情報処理システム。
【請求項３】
前記加工手段は、
前記ユーザの認証情報に基づき、前記文書の情報を暗号化し、
前記復号手段は、
前記ユーザの認証情報に基づき、前記暗号化された情報を復号することを特徴とする請求項２に記載の情報処理システム。
【請求項４】
前記ユーザの認証情報は、
前記ユーザにより設定された文字認証、又は前記ユーザの生体情報であることを特徴とする請求項３に記載の情報処理システム。
【請求項５】
前記加工手段により前記文書の情報を暗号化する際に用いられる第１の鍵に対応して、前記暗号化された前記文書の情報を復号する第２の鍵を、前記文書の識別情報と対応付けて管理する管理サーバを有し、
前記提供先は、
前記加工手段により前記第１の鍵で暗号化された前記文書の情報を、前記携帯端末を介して取得すると、前記文書の識別情報に基づいて前記管理サーバから前記第２の鍵を取得し、取得した前記第２の鍵を用いて前記文書の情報を復号することを特徴とする請求項１乃至４のいずれか一項に記載の情報処理システム。
【請求項６】
前記提供先は、
前記携帯端末から前記暗号化された情報を取得した場合、又は前記管理サーバから前記第２の鍵を取得した場合、前記携帯端末又は前記管理サーバに対し、前記文書の情報又は前記文書の識別情報に取得済みの情報を対応付けて書き込むことを特徴とする請求項５に記載の情報処理システム。
【請求項７】
前記提供先は、
前記携帯端末から前記暗号化された情報を取得する場合、又は前記管理サーバから前記第２の鍵を取得する場合、前記取得済みの情報に基づき、前記暗号化された情報の有効性を判断することを特徴とする請求項６に記載の情報処理システム。
【請求項８】
情報処理装置と携帯端末とを有する情報処理システムにおける情報処理方法であって、
前記情報処理装置は、
ユーザに対して交付された文書の情報を所定のフォーマットに対応するように加工し、加工した前記文書の情報を暗号化する加工手順を有し、
前記携帯端末は、
前記加工手順により暗号化された前記文書の情報を読み取る読取手順と、
前記読取手順により読み取られた前記文書の情報を記憶する記憶手順と、
前記記憶手順により記憶された文書の情報を、前記ユーザに前記交付された文書に基づき対象物を提供する提供先で出力する出力手順とを有することを特徴とする情報処理方法。
【請求項９】
ユーザに対して交付された文書の情報が所定のフォーマットに対応するように加工され、加工された前記文書の情報が暗号化された前記文書の情報を情報処理装置から読み取る読取手段と、
前記読取手段により読み取られた前記文書の情報を記憶する記憶手段と、
前記記憶手段により記憶された前記文書の情報を、前記文書の情報に基づき前記ユーザに対象物を提供する提供先で出力する出力手段とを有することを特徴とする携帯端末。
【請求項１０】
コンピュータを、
ユーザに対して交付された文書の情報が所定のフォーマットに対応するように加工され、加工された前記文書の情報が暗号化された前記文書の情報を情報処理装置から読み取る読取手段、
前記読取手段により読み取られた前記文書の情報を記憶する記憶手段、及び、
前記記憶手段により記憶された前記文書の情報を、前記文書の情報に基づき前記ユーザに対象物を提供する提供先で出力する出力手段として機能させるための情報処理プログラム。
【発明の詳細な説明】
【技術分野】
【０００１】
本願は、情報処理システム、情報処理方法、携帯端末、及び情報処理プログラムに関する。
【背景技術】
【０００２】
近年では、分業による作業の効率化が進んでおり、例えば所定の文書を交付する交付者と、その文書に記載された対象物を提供する提供者とが異なる場合がある。例えば、医療分野では、医師が患者を診察した後、患者に処方する医薬について病院内で処方箋等の文書を交付し、交付された処方箋に基づいて薬局による院外処方を行う機会が増加している。この場合、病院が交付者の一例となり、薬局が提供者の一例となる。
【０００３】
院外処方の場合には、患者が医師により交付された紙媒体の処方箋を薬局まで持っていき、薬局で処方箋を提示することで薬剤師により調剤された薬を受け取る。なお、処方箋を持ち歩く不便さや、処方箋の用紙の消費を抑制するため、患者の薬の処方データ等を登録する病院のＷｅｂサーバを用いた処方箋ペーバレスシステムが知られている（例えば、特許文献１参照）。
【発明の概要】
【発明が解決しようとする課題】
【０００４】
上述した特許文献１の手法では、病院のＷｅｂサーバに患者の処方データとともに患者の認証情報を登録しておき、薬局側の端末から病院名に基づき患者の処方データ等を取得する。しかしながら、インターネット上のデータベースに薬の処方データ等を含む個人情報を登録するため、データが流出してしまう可能性等、セキュリティの面から不安が残る問題があった。
【０００５】
１つの側面では、本発明は、セキュリティを向上させることを目的とする。
【課題を解決するための手段】
【０００６】
一態様において、情報処理装置と携帯端末とを有する情報処理システムであって、前記情報処理装置は、ユーザに対して交付される文書の情報を所定のフォーマットに対応するように加工し、加工した前記文書の情報を暗号化する加工手段を有し、前記携帯端末は、前記加工手段により暗号化された前記文書の情報を読み取る読取手段と、前記読取手段により読み取られた前記文書の情報を記憶する記憶手段と、前記記憶手段により記憶された前記文書の情報を、前記文書の情報に基づき前記ユーザに対象物を提供する提供先で出力する出力手段とを有する。
【発明の効果】
【０００７】
セキュリティを向上させることが可能となる。
【図面の簡単な説明】
【０００８】
【図１】第１実施形態における電子処方箋システムの概略構成の一例を示す図である。
【図２】コンピュータシステムのハードウェア構成の一例を示す図である。
【図３】第１実施形態における医師端末の機能構成の一例を示す図である。
【図４】第１実施形態における受付端末の機能構成の一例を示す図である。
【図５】第１実施形態における携帯端末の機能構成の一例を示す図である。
【図６】第１実施形態における薬剤師端末の機能構成の一例を示す図である。
【図７】第１実施形態における処方箋情報書込処理の一例を示すフローチャートである。
【図８】第１実施形態における処方箋情報印刷処理の一例を示すフローチャートである。
【図９】第１実施形態で用いられるデータの一例を示す図である。
【図１０】第１実施形態で用いられる処方箋フォーマットの一例を示す図である。
【図１１】第２実施形態における電子処方箋システムの概略構成の一例を示す図である。
【図１２】第２実施形態における処方箋管理サーバの機能構成の一例を示す図である。
【発明を実施するための形態】
【０００９】
以下、実施の形態について詳細に説明する。実施の形態では、例えばユーザに交付された文書の情報を所定のフォーマットに対応するように加工し、加工した文書の情報を暗号化し、暗号化された文書の情報をユーザが所有する携帯端末等で読み取る。また、携帯端末で読み取った文書の情報を、その文書の情報に基づき対象物を提供する提供先で出力する。提供先では、携帯端末から取得した文書の情報を復号して、ユーザに対象物を提供する。
【００１０】
上述した実施の形態を実現する情報処理システムの一例として、患者への医薬品の提供を目的とした電子処方箋システムを用いて具体的に説明するが、適用範囲についてはこれに限定されるものではない。例えば、医療分野以外として、公的な書類（住民票、戸籍情報、転出届）等のように、第三者に漏洩したり、改ざんされてはいけない情報をやり取りしたりする場合等にも適用することが可能である。
【００１１】
＜第１実施形態＞
＜電子処方箋システム：概略構成＞
図１は、第１実施形態における電子処方箋システムの概略構成の一例を示す図である。図１に示す電子処方箋システム１は、例えば病院内に設置された医師端末１０と、受付端末２０と、例えば患者等により所有される携帯端末３０と、院外にある薬局に設置された薬剤師端末４０と、プリンタ５０とを有する。
【００１２】
図１に示す医師端末１０と受付端末２０とは、ネットワークＮ１を介して相互にデータ通信可能な状態で接続されている。また、図１に示す薬剤師端末４０とプリンタ５０とは、ネットワークＮ２を介して相互にデータ通信可能な状態で接続されている。つまり、医師端末１０と受付端末２０とは、第１のネットワークを形成し、薬剤師端末４０とプリンタ５０とは、第１のネットワークとは異なる第２のネットワークを形成する。
【００１３】
ネットワークＮ１〜Ｎ２は、例えばＬＡＮ（Ｌｏｃａｌ  Ａｒｅａ  Ｎｅｔｗｏｒｋ）等であるがこれには限定されない。なお、ネットワークＮ１〜Ｎ２は、有線又は無線の別は問わない。また、図１に示す薬局の数や、各装置の数や種類等は、これに限定されるものではない。
【００１４】
医師端末１０は、所定の処理を実行するコンピュータである。医師端末１０の基本的なハードウェア構成及びソフトウェア構成は、一般的なＰＣ（Ｐｅｒｓｏｎａｌ  Ｃｏｍｐｕｔｅｒ）により実現され、内部機能により動作する。図１の例では、医師端末１０は、医師による患者の診察内容に基づいて、薬（医薬品）の処方箋（交付）情報の入力を受け付ける。
【００１５】
受付端末２０は、所定の処理を実行するコンピュータである。受付端末２０の基本的なハードウェア構成及びソフトウェア構成は、一般的なＰＣにより実現され、内部機能により動作する。図１において、受付端末２０は、例えばＩＣカードリーダライタ等の非接触型の情報読取／書込装置が接続されている。受付端末２０は、医師端末１０から取得した処方箋情報を、携帯端末３０に内蔵されたＩＣチップ等のメモリ（例えば、ＩＣメモリ）に格納できる形式に加工する。また、受付端末２０は、例えば患者（ユーザ）から認証情報を取得して、加工した処方箋情報を暗号化し、暗号化した処方箋情報を接続されているＩＣカードリーダライタに出力する。
【００１６】
携帯端末３０は、一般的なＯＳ（Ｏｐｅｒａｔｉｎｇ  Ｓｙｓｔｅｍｎ）等が搭載されたスマートフォンや、タブレット端末、携帯電話等である。図１において、携帯端末３０は、例えば患者等により所有される端末である。携帯端末３０は、例えば受付端末２０に接続されたＩＣカードリーダライタを介して処方箋情報を読み取り、読み取った処方箋情報を携帯端末３０に内蔵された記憶部（例えば、ＩＣチップ等のメモリ）に記憶する。
【００１７】
このように、携帯端末３０の記憶部に処方箋情報を記憶することで、患者に対して携帯端末３０の画面に表示された処方箋情報を閲覧させることも可能となる。携帯端末３０で処方箋情報を閲覧する場合には、専用のビューアを用いて閲覧のみさせるのが良い。一般に処方箋は、複製されると悪用できる情報であるためである。処方箋情報が暗号化されている場合には、専用のビューアにより復号して閲覧のみ許可させても良い。なお、処方箋情報は、例えば患者が所有するＩＣカードに入れても良く、例えば眼鏡型や腕時計型のウェラブルデバイス等に格納しても良い。
【００１８】
薬剤師端末４０は、所定の処理を実行するコンピュータである。薬剤師端末４０の基本的なハードウェア構成及びソフトウェア構成は、一般的なＰＣにより実現され、内部機能により動作する。図１において、薬剤師端末４０は、例えばＩＣカードリーダライタ等の非接触型の情報読取／書込装置が接続されている。薬剤師端末４０は、ＩＣカードリーダライタを介して携帯端末３０から処方箋情報を読み取ると、ユーザの認証情報に基づき復号する。薬剤師端末４０は、薬の処方箋情報を画面に表示したり、プリンタ５０に出力したりする。なお、薬剤師端末４０は、薬局内の薬剤師が使用しても良く、薬局内の他の関係者（受付係）が使用しても良い。
【００１９】
プリンタ５０は、画像形成に係る処理を行う装置であり、例えばＭＦＰ（Ｍｕｌｔｉ−Ｆｕｎｃｔｉｏｎ  Ｐｅｒｉｐｈｅｒａｌ）等の複合機や、レーザプリンタ等であっても良い。図１において、プリンタ５０は、薬剤師端末４０から取得した処方箋情報に基づき、紙媒体の処方箋を印刷出力する。
【００２０】
なお、上述した電子処方箋システム１において、受付端末２０や薬剤師端末４０には、携帯端末３０を用いて処方箋情報の受け渡しを行うためのアプリケーション（以下、必要に応じて「アプリ」と略称する）がインストールされていても良い。このアプリは、受付端末２０及び薬剤師端末４０で共通のアプリであっても良く、異なる専用のアプリであっても良い。
【００２１】
また、携帯端末３０にも、受付端末２０から処方箋情報を読み取り、読み取った情報を患者が端末上の画面で閲覧し、薬剤師端末４０に処方箋情報を書き込むためのアプリをインストールしても良い。
【００２２】
また、上述した受付端末２０から携帯端末３０に処方箋情報を書き込む際、第三者が携帯端末３０で同じような動作を行うことで処方箋情報が漏洩することがないように、予めワンタイムパスワード等による認証処理を行ってから情報の受け渡しをおこなっても良い。上述した認証処理の例としては、例えば患者情報（患者ＩＤ、パスワード）による文字認証、生体認証（指紋認証、声紋認証、虹彩認証等）等があるが、これに限定されるものではない。
【００２３】
また、受付端末２０は、例えば複数の認証方式を予め設定しておき、患者情報や患者の診察結果や、書き込む文書の重要度等に対応させて認証方式を選択しても良い。これにより、例えば高齢者等には、文字認証よりも声紋認証を選択して実行させたり、診察内容に応じて文字認証を選択させたりする。なお、認証例は、上述した内容に限定されるものではない。
【００２４】
＜ハードウェア構成＞
上述した医師端末１０や、受付端末２０、携帯端末３０、薬剤師端末４０は、例えば図２に示すハードウェア構成のコンピュータシステムにより実現される。図２は、コンピュータシステムのハードウェア構成の一例を示す図である。
【００２５】
図２に示すコンピュータシステム２は、入力装置６１と、表示装置６２と、ＲＡＭ（Ｒａｎｄｏｍ  Ａｃｃｅｓｓ  Ｍｅｍｏｒｙ）６３と、ＲＯＭ（Ｒｅａｄ  Ｏｎｌｙ  Ｍｅｍｏｒｙ）６４と、ＨＤＤ（Ｈａｒｄ  Ｄｉｓｋ  Ｄｒｉｖｅ）６５と、ＣＰＵ（Ｃｅｎｔｒａｌ  Ｐｒｏｃｅｓｓｉｎｇ  Ｕｎｉｔ）６６と、通信Ｉ／Ｆ６７と、外部Ｉ／Ｆ６８とを有し、それぞれがバスＢで相互に接続されている。
【００２６】
入力装置６１は、キーボードやマウス、タッチパネル等を含み、ユーザが各操作信号を入力するのに用いられる。表示装置６２は、ディスプレイ等を含み、コンピュータシステム２による処理結果を表示する。
【００２７】
ＲＡＭ６３は、プログラムやデータを一時保持する揮発性の半導体メモリ（記憶装置）である。ＲＯＭ６４は、電源を切ってもプログラムやデータを保持可能な不揮発性の半導体メモリ（記憶装置）である。ＲＯＭ６４には、コンピュータシステム２の起動時に実行されるＢＩＯＳ（Ｂａｓｉｃ  Ｉｎｐｕｔ／Ｏｕｔｐｕｔ  Ｓｙｓｔｅｍ）、ＯＳ設定、及びネットワーク設定等のプログラムやデータを格納する。
【００２８】
ＨＤＤ６５は、プログラムやデータを格納している不揮発性の記憶装置である。格納されるプログラムやデータには、例えばコンピュータシステム２全体を制御する基本ソフトウェアであるＯＳや、ＯＳ上において各種機能を提供するアプリケーションソフトウェア等がある。
【００２９】
ＨＤＤ６５は、格納しているプログラムやデータを所定のファイルシステム及び／又はＤＢ（データベース）により管理する。なお、コンピュータシステム２は、ＨＤＤ６５の代わりにＳＳＤ（Ｓｏｌｉｄ  Ｓｔａｔｅ  Ｄｒｉｖｅ）が設けられても良い。
【００３０】
ＣＰＵ６６は、ＲＯＭ６４やＨＤＤ６５等の記憶装置からプログラムやデータをＲＡＭ６３上に読み出し、処理を実行することで、コンピュータシステム２全体の制御や機能を実現する演算装置である。
【００３１】
通信Ｉ／Ｆ６７は、コンピュータシステム２をネットワークＮ１〜Ｎ２に接続するインターフェースである。これにより、コンピュータシステム２は、通信Ｉ／Ｆ６７を介してデータ通信を行う。
【００３２】
外部Ｉ／Ｆ６８は、外部装置とのインターフェースである。外部装置には、記録媒体６８Ａ等がある。これにより、コンピュータシステム２は、外部Ｉ／Ｆ６８を介して記録媒体６８Ａの読み取り及び／又は書き込みを行うことが可能である。
【００３３】
記録媒体６８Ａには、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、ＳＤメモリカード（ＳＤ  Ｍｅｍｏｒｙ  ｃａｒｄ）、ＵＳＢメモリ（Ｕｎｉｖｅｒｓａｌ  Ｓｅｒｉａｌ  Ｂｕｓ  ｍｅｍｏｒｙ）等がある。
【００３４】
医師端末１０や、受付端末２０、携帯端末３０、薬剤師端末４０は、コンピュータシステム２のハードウェア構成により、後述する各種処理を実現することが可能となる。
【００３５】
＜医師端末１０の機能構成＞
図３は、第１実施形態における医師端末の機能構成の一例を示す図である。図３に示すように、医師端末１０は、画面表示部１１と、結合情報管理部１２と、処方情報管理部１３と、患者情報管理部１４と、診察情報管理部１５と、通信部１６と、処方情報ＤＢ１７と、患者情報ＤＢ１８と、診察情報ＤＢ１９とを有する。
【００３６】
画面表示部１１は、例えばディスプレイ等の画面を表示する出力装置を介して、結合情報管理部１２から得られる情報を表示する。また、画面表示部１１は、キーボードやタッチパネル等の入力装置を介して、医師の操作により患者に処方する薬の処方情報等の入力を受け付ける。
【００３７】
結合情報管理部１２は、処方情報管理部１３や、患者情報管理部１４、診察情報管理部１５により管理されている情報を結合する。また、結合情報管理部１２は、結合した情報を画面表示部１１の画面に表示する。また、結合情報管理部１２は、画面表示部１１を介して入力された情報をそれぞれ処方情報管理部１３や、患者情報管理部１４、診察情報管理部１５に出力する。
【００３８】
処方情報管理部１３は、患者に対して処方する薬の処方情報として、例えば薬の名称、処方される量等の情報を管理する。
【００３９】
患者情報管理部１４は、患者情報として、例えば患者の氏名、生年月日、性別、保険証番号、患者の認証情報の一例として登録されたパスワード等の文字認証、指紋等の生体認証の情報を管理する。
【００４０】
診察情報管理部１５は、患者の症状、治療法、診察履歴等のカルテに記載する情報を管理する。なお、上述した処方情報、患者情報、診察情報はそれぞれ所定のデータ項目に基づき関連付けて管理される。
【００４１】
通信部１６は、ネットワークＮ１を介して受付端末２０と通信を行い、データ等の送受信を行う。
【００４２】
処方情報ＤＢ１７は、処方情報管理部１３により管理される薬の処方情報を、患者ごとに蓄積する。患者情報ＤＢ１８は、患者情報管理部１４により管理される患者情報を蓄積する。診察情報ＤＢ１９は、診察情報管理部１５により管理される診察情報を蓄積する。
【００４３】
なお、上述した例では、医師端末１０において処方情報や、患者情報、診察情報等の管理や蓄積を行っているがこれには限定されない。例えば１つの病院内に医師端末１０が複数存在するような場合には、上述した各情報の管理や蓄積を１又は複数のサーバ等で行い、医師端末１０は、サーバ等から上述した各情報を取得するような構成であっても良い。
【００４４】
＜受付端末２０の機能構成＞
図４は、第１実施形態における受付端末の機能構成の一例を示す図である。図４に示すように、受付端末２０は、通信部２１と、処方箋情報受付部２２と、加工手段の一例としての処方箋情報加工部２３と、ＩＣカードリーダライタ通信部２４とを有する。
【００４５】
通信部２１は、ネットワークＮ１を介して医師端末１０と通信を行い、データ等の送受信を行う。
【００４６】
処方箋情報受付部２２は、例えばタッチパネル等の情報の入力及び表示を行う入出力装置を介して、通信部２１から取得した処方箋情報を表示する。また、処方箋情報受付部２２は、患者の認証情報として、例えばパスワード等の文字認証、指紋等の生体認証の情報を取得すると、通信部２１を介して患者情報ＤＢ１８に予め登録された患者の認証情報と照合する。なお、予め複数の認証方法を設定しておき、病名に応じて認証形式を選択することが可能である。処方箋情報受付部２２は、認証が成功すると、処方箋情報加工部２３に処方箋情報を出力する。
【００４７】
処方箋情報加工部２３は、処方箋情報受付部２２により受け付けた処方箋情報を、例えば携帯端末３０に内蔵されたＩＣチップ等のメモリに格納できる形式に加工し、加工した処方箋情報を認証が成功した患者の認証情報に基づいて暗号化する。また、処方箋情報加工部２３は、変換した処方箋情報を、ＩＣカードリーダライタ通信部２４に出力する。
【００４８】
ＩＣカードリーダライタ通信部２４は、受付端末２０に接続されたＩＣカードリーダライタに処方箋情報を出力する。なお、ＩＣカードリーダライタは、受付端末２０に外部接続されていても良く、内蔵されていても良い。
【００４９】
＜携帯端末３０の機能構成＞
図５は、第１実施形態における携帯端末の機能構成の一例を示す図である。図５に示すように、携帯端末３０は、読取手段、出力手段の一例としてのＩＣカードリーダライタ通信部３１と、記憶手段の一例としての処方箋情報記憶部３２と、処方箋情報表示部３３とを有する。
【００５０】
ＩＣカードリーダライタ通信部３１は、受付端末２０に接続されたＩＣカードリーダライタを介して暗号化された処方箋情報を読み取る。また、ＩＣカードリーダライタ通信部３１は、薬剤師端末４０に接続されたＩＣカードリーダライタを介して薬剤師端末４０で暗号化された処方箋情報を出力する。なお、ＩＣカードリーダライタ通信部３１は、ＩＣカードリーダライタと非接触で処方箋情報を読み取ったり出力したりするが、これに限定されるものではない。
【００５１】
処方箋情報記憶部３２は、ＩＣカードリーダライタ通信部３１から取得した処方箋情報を記憶する。また、処方箋情報記憶部３２は、薬剤師端末４０に対して処方箋情報を出力した後、薬剤師端末４０から読み込み済み（取得済み）の処方箋情報に対して「読み込み済み」の情報が書き込まれると、その処方箋情報と対応付けて「読み込み済み」の情報を記憶する。これにより、同じ処方箋情報を複数回使用することを防ぐことが可能となる。
【００５２】
なお、処方箋情報記憶部３２は、薬剤師端末４０に対して処方箋情報を出力した後、その処方箋情報を削除しても良い。処方箋情報記憶部３２は、ＩＣチップ等のメモリに対応する。
【００５３】
処方箋情報表示部３３は、ユーザからの指示を受け付けると、例えばディスプレイ等の画面を表示する出力装置を介して、処方箋情報記憶部３２に記録された処方箋情報を表示する。
【００５４】
＜薬剤師端末４０の機能構成＞
図６は、第１実施形態における薬剤師端末の機能構成の一例を示す図である。図６に示すように、薬剤師端末４０は、ＩＣカードリーダライタ通信部４１と、取得手段、復号手段の一例としての処方箋情報解析部４２と、処方箋情報整形部４３と、プリンタドライバ４４と、通信部４５とを有する。
【００５５】
ＩＣカードリーダライタ通信部４１は、接続されているＩＣカードリーダライタを介して携帯端末３０から暗号化された処方箋情報を取得する。なお、ＩＣカードリーダライタは、携帯端末３０から非接触で処方箋情報を読み取るが、これに限定されるものではない。また、ＩＣカードリーダライタは、薬剤師端末４０に外部接続されていても良く、内蔵されていても良い。
【００５６】
処方箋情報解析部４２は、ＩＣカードリーダライタ通信部４１から処方箋情報を取得すると、例えばタッチパネル等の情報の入力及び表示を行う入出力装置を介して、患者の認証情報として、例えばパスワード等の文字認証、指紋等の生体認証の情報を取得する。処方箋情報解析部４２は、ＩＣカードリーダライタ通信部４１から取得した処方箋情報を、患者の認証情報に基づいて復号すると、復号した処方箋情報を解析して必要な情報を取り出す。
【００５７】
ここで、処方箋情報解析部４２は、携帯端末３０から取得した処方箋情報について「読み込み済み」の情報が記載されているか判断し、「読み込み済み」の情報が記載されていない場合には、有効な処方箋情報として判断して解析を行う。
【００５８】
また、処方箋情報解析部４２は、携帯端末３０から処方箋情報の読み込みが終了した場合には、携帯端末３０に記憶されている処方箋情報について「読み込み済み」の情報を書き込む。処方箋情報解析部４２は、「読み込み済み」の情報が記載されている処方箋情報については、例えばディスプレイ等の出力装置上に「読み込み済み」であることを示す警告を表示させても良い。
【００５９】
このように、携帯端末３０から暗号化された処方箋情報を取得した場合、携帯端末３０に対し、処方箋情報に「読み込み済み」の情報を対応付けて書き込むことで、１つの処方箋情報を用いて複数の処方箋を取得することを防止することが可能となる。また、上述した「読み込み済み」の情報を用いて、例えば暗号化された処方箋情報の有効性を判断することができ、セキュリティを向上させることが可能となる。
【００６０】
処方箋情報整形部４３は、処方箋情報解析部４２から取得した処方箋情報を、予め設定された処方箋フォーマットに当てはめることで処方箋の画像を形成する。
【００６１】
プリンタドライバ４４は、処方箋情報整形部４３により整形された処方箋画像を、プリンタ５０で印刷できる形式に変換して印刷データを生成する。
【００６２】
通信部４５は、プリンタドライバ４４で印刷できる形式に変換した処方箋データをプリンタ５０に送信する。
【００６３】
＜処方箋情報書込処理＞
図７は、第１実施形態における処方箋情報書込処理の一例を示すフローチャートである。なお、図７の処理は、上述した第１のネットワークにおいて実行される処理である。
【００６４】
図７に示すように、医師端末１０は、画面表示部１１により診察時に医師から入力される患者情報、診察情報、患者に処方する薬の処方情報等を受け付ける（Ｓ１０）。医師端末１０は、結合情報管理部１２により薬の処方情報を取得すると（Ｓ１１）、処方情報管理部１３に出力する。医師端末１０は、処方情報管理部１３により薬の処方情報を、患者情報と関連付けて処方情報ＤＢ１７に格納する（Ｓ１２）。
【００６５】
受付端末２０は、医師による患者の診察後に患者情報が入力されると、入力された患者情報について処方箋情報受付部２２によりネットワークＮ１を介して医師端末１０に処方箋情報等の取得を要求する（Ｓ１３）。
【００６６】
医師端末１０は、受付端末２０からの処方箋情報等の取得要求に応じて、結合情報管理部１２により入力された患者情報に対応する処方箋情報を作成すると、通信部１６により処方箋情報等を送信する（Ｓ１４）。
【００６７】
受付端末２０は、通信部２１を介して医師端末１０から処方箋情報とともに登録されている患者の認証情報を取得すると、処方箋情報受付部２２を介して取得した患者の認証情報と照合する。ここで、受付端末２０は、認証が成功すると、処方箋情報加工部２３により、処方箋情報受付部２２により受け付けた処方箋情報を、例えば携帯端末３０のＩＣチップ等のメモリに格納できる形式に加工し、加工した処方箋情報を認証が成功した患者の認証情報に基づいて暗号化する（Ｓ１５）。
【００６８】
携帯端末３０は、受付端末２０がＩＣカードリーダライタに出力した処方箋情報を、ＩＣカードリーダライタ通信部３１により読み取ると、処方箋情報記憶部３２に書き込み（Ｓ１６）、処理を終了する。
【００６９】
＜処方箋情報印刷処理＞
図８は、第１実施形態における処方箋情報印刷処理の一例を示すフローチャートである。なお、図８の処理は、上述した第２のネットワークにおいて実行される処理である。
【００７０】
図８に示すように、薬剤師端末４０は、患者が薬局のＩＣカードリーダライタに携帯端末３０をかざして得られた処方箋情報を、ＩＣカードリーダライタ通信部４１を介して取得する（Ｓ２０）。また、薬剤師端末４０は、例えばタッチパネル等の入出力装置を介して患者の認証情報を取得すると、処方箋情報解析部４２により取得した患者の認証情報に基づき処方箋情報を復号し、復号した処方箋情報を解析して必要な情報を取り出す（Ｓ２１）。
【００７１】
なお、Ｓ２１の処理では、処方箋情報解析部４２は、携帯端末３０から取得する処方箋情報について既に「読み込み済み」と記載されているか判断し、「読み込み済み」と記載されていない場合には有効な処方箋情報と判断して取り出す。
【００７２】
薬剤師端末４０は、処方箋情報整形部４３により取り出した処方箋情報を処方箋フォーマットに当てはめることで処方箋の画像を形成する（Ｓ２２）。薬剤師端末４０は、薬剤師による処方箋の印刷指示を受け付けると、プリンタドライバ４４により処方箋情報整形部４３で形成された処方箋の画像を印刷できる形式に変換して印刷データを生成する（Ｓ２３）。
【００７３】
薬剤師端末４０は、通信部４５を介してプリンタ５０に印刷データを出力して、プリンタ５０により印刷し（Ｓ２４）、処理を終了する。
【００７４】
＜データ例＞
図９は、第１実施形態で用いられるデータの一例を示す図である。図９（Ａ）は、処方情報ＤＢに格納される処方情報の一例を示している。図９（Ｂ）は、処方情報と関連づけて処方情報ＤＢに格納される薬剤情報の一例を示している。図９（Ｃ）は、患者情報ＤＢに格納される患者情報の一例を示している。図９（Ｄ）は、結合情報管理部により作成される処方箋情報の一例を示している。
【００７５】
図９（Ａ）に示す処方情報は、例えば「患者ＩＤ」、「薬ＩＤ」、「１回量」、「用法／用量」、「処方日数」等のデータ項目を有するが、これに限定されるものではない。
【００７６】
「患者ＩＤ」は、患者を識別する識別情報を表している。「薬ＩＤ」は、薬を識別する識別情報を表している。「１回量」は、１回当たりに飲む薬の量を表している。「用法／用量」は、１日当たりにおける薬の飲み方等を表している。「処方日数」は、薬を飲む日数を表している。
【００７７】
図９（Ｂ）に示す薬剤情報は、例えば「薬ＩＤ」、「名称」、「形状」、「含量」等のデータ項目を有するが、これに限定されるものではない。
【００７８】
「薬ＩＤ」は、図９（Ａ）に示す「薬ＩＤ」と関連付けられている。「名称」は、薬の名称を表している。「形状」は、錠剤かカプセルか等の薬の形状を表している。「含量」は、その薬の含まれている量を表している。
【００７９】
図９（Ｃ）に示す患者情報は、例えば「患者ＩＤ」、「氏名」、「生年月日」、「性別」、「保険証番号」、「記号」、「番号」、「住所」等のデータ項目を有するが、これに限定されるものではなく、例えば患者に認証情報として、例えばパスワード等の文字認証の情報、指紋等の生体認証の情報を格納することが可能である。
【００８０】
「患者ＩＤ」は、図９（Ａ）に示す「患者ＩＤ」と関連付けられている。「氏名」は、患者の名前を表している。「生年月日」は、患者の生年月日を表している。「性別」は、患者の性別を表している。「保険証番号」は、患者の保険証番号を表している。「記号」、「番号」は、被保険者証・被保険者手帳の記号・番号を表している。「住所」は、患者の住所を表している。
【００８１】
図９（Ｄ）に示す処方箋情報は、例えば「保険証番号」、「記号」、「番号」、「氏名」、「生年月日」、「性別」、「交付年月日」、「使用期限」、「医療機関所在地」、「医療機関名称」、「医療機関電話番号」、「処方情報１」等のデータ項目を有するが、これに限定されるものではない。
【００８２】
＜処方箋フォーマット例＞
図１０は、第１実施形態で用いられる処方箋フォーマットの一例を示す図である。図１０に示す処方箋フォーマットは、薬剤師端末４０の処方箋情報整形部４３により処方箋情報を当てはめて処方箋の画像を形成するときに用いられる。
【００８３】
処方箋情報整形部４３は、予め設定された各項目の領域に、携帯端末３０から取得した処方箋情報を当てはめる。これにより、図１０に示す処方箋フォーマットの各項目に対して、対応する情報が重畳された処方箋の画像が形成される。
【００８４】
＜第２実施形態＞
＜電子処方箋システム：概略構成＞
図１１は、第２実施形態における電子処方箋システムの概略構成の一例を示す図である。第２実施形態では、例えば公開鍵暗号方式に基づくデジタル署名により実現される電子署名を用いて、ネットワークＮ１からネットワークＮ２に対して提供される処方箋情報を暗号化し、暗号化された処方箋情報を復号する鍵情報を第三者に管理させる。なお、以下の説明において、第１実施形態における電子処方箋システム１と同様の構成については、同様の符号付すものとし、第１実施形態で説明した内容と重複する内容の説明は省略する。
【００８５】
図１１に示す電子処方箋システム３は、例えば病院内に設置された医師端末１０と、受付端末２０と、例えば患者により所有される携帯端末３０と、院外にある薬局に設置された薬剤師端末４０と、プリンタ５０と、処方箋管理サーバ７０とを有する。
【００８６】
図１１に示すように、処方箋管理サーバ７０は、例えばインターネットに代表されるネットワークＮ３に接続されている。ネットワークＮ３は、病院内のネットワークＮ１と薬局に設置されたネットワークＮ２との間に接続された第３のネットワークである。
【００８７】
受付端末２０は、例えば医師等により生成された秘密鍵（第１の鍵）と公開鍵（第２の鍵）のうち、例えば秘密鍵を保持しておく。受付端末２０は、処方箋情報加工部２３により、例えばＩＣチップに保管する形式に変換した処方箋情報を、例えば処方箋を交付した医師の秘密鍵を用いて暗号化する。受付端末２０は、処方箋を識別する識別情報である処方箋ＩＤと、処方箋ＩＤに対応する処方箋情報を復号する公開鍵を関連付けて処方箋管理サーバ７０に登録しておく。
【００８８】
携帯端末３０は、受付端末２０に接続されたＩＣカードリーダライタを介して暗号化された処方箋情報を読み取り、薬剤師端末４０に接続されたＩＣカードリーダライタを介して薬剤師端末４０で処方箋情報を出力する。
【００８９】
処方箋管理サーバ７０は、受付端末２０から取得した処方箋ＩＤと、処方箋ＩＤに対応する処方箋情報を復号する公開鍵を関連付けて管理する。処方箋管理サーバ７０は、例えば薬剤師端末４０から公開鍵の取得要求があった場合には、対応する公開鍵を薬剤師端末４０に出力する。
【００９０】
薬剤師端末４０は、携帯端末３０から暗号化された処方箋情報を取得すると、処方箋ＩＤに基づき処方箋管理サーバ７０から対応する公開鍵を取得して、処方箋情報を復号する。また、薬剤師端末４０は、復号した処方箋情報を解析して必要な情報を取り出すと、その処方箋情報について「読み込み済み」の情報を、処方箋管理サーバ７０に対して書き込む。このように、処方箋管理サーバ７０から公開鍵を取得した場合、処方箋管理サーバ７０に対し、処方箋ＩＤに「読み込み済み」の情報を対応付けて書き込むことで、１つの処方箋ＩＤを用いて複数の処方箋を取得することを防止することが可能となる。
【００９１】
上述したように処方箋管理サーバ７０で公開鍵を管理することで、薬剤師端末４０により処方箋の正当性を検証したり、改ざんや偽造等を防止したりすることが可能となる。
【００９２】
＜処方箋管理サーバ７０の機能構成＞
図１２は、第２実施形態における処方箋管理サーバの機能構成の一例を示す図である。図１２に示すように、処方箋管理サーバ７０は、通信部７１と、処方履歴管理部７２と、証明書管理部７３と、処方履歴ＤＢ７４と、証明書ＤＢ７５とを有する。
【００９３】
通信部７１は、ネットワークＮ１を介して医師端末１０や受付端末２０と通信を行い、例えば病院で交付された処方箋の処方箋ＩＤや公開鍵等を取得する。
【００９４】
処方履歴管理部７２は、通信部７１を介して取得した処方箋ＩＤや「読み込み済み」の情報を管理する。証明書管理部７３は、処方履歴管理部７２で管理する処方箋ＩＤに対応する電子証明書（公開鍵）を管理する。
【００９５】
処方履歴ＤＢ７４は、処方履歴管理部７２により管理される処方箋ＩＤや「読み込み済み」の情報を蓄積する。証明書ＤＢ７２は、証明書管理部７３により管理される電子証明書を蓄積する。なお、電子証明書は、例えば公開鍵暗号化通信においてデータの暗号化に使用する公開鍵が本物であることを証明するために認証局によって発行される情報である。
【００９６】
上述した実施形態によれば、患者等が所有する携帯端末を介してネットワークＮ１からネットワークＮ２に対して暗号化された処方箋情報を提供することで、処方箋情報等のデータ流出に対するセキュリティを向上させることが可能となる。
【００９７】
以上、病院を例に挙げて本発明の実施形態について説明したが、本発明は、病院に限定されることなく適用可能である。病院と薬局とは、患者を診察して薬を提供する、いわゆる提供側のシステムである。病院における医師は患者に対して薬を処方し、薬局における薬剤師は処方にしたがって患者に薬を提供する。
【００９８】
この観点からすると、医師は提供を指示する提供指示者の一例であり、薬剤師や提供指示にしたがい提供する提供者の一例であり、患者は提供される被提供者の一例といえる。また、別の観点では、患者は、医師や薬剤師のもとを訪れる訪問者の一例であり、医師や薬剤師は訪問される被訪問者の一例である。
【００９９】
訪問者は、薬等の物品を提供してもらうために第１の被訪問者のもとを訪れ、処方箋等の提供依頼を第１の被訪問者に発行指示してもらい、提供依頼データを取得する。その後、訪問者は、提供依頼に基づき物品を提供する第２の被訪問者のもとを訪れ、第２の被訪問者に提供依頼データを提示することで物品を取得する。本発明をこのような利用形態において適用し、提供依頼データに対するセキュリティを向上させることも可能である。
【０１００】
このような場合、取り扱う物品や関わるユーザの関係性については病院とは異なることが十分に考えられる。物品は薬ではなく、ユーザの関係性は医師と患者といったものではなくなる。しかしながら、このような物品やユーザの関係性を利用形態に即したものへと転換して情報を扱えば、本発明と同等の技術（情報処理）を適用することが可能である。
【０１０１】
なお、上述した実施形態の説明において、病院の利用形態に即した情報、装置、ユーザ等の名称については、上述した観点で適用可能な利用形態に即した情報、装置、ユーザ等の名称へと適宜変更することが可能である。
【０１０２】
本発明は、具体的に開示された上記の実施形態に限定されるものではなく、特許請求の範囲から逸脱することなく、種々の変形や変更が可能である。
【符号の説明】
【０１０３】
１  電子処方箋システム（情報処理システムの一例）
２  コンピュータシステム
１０  医師端末
１１  画面表示部
１２  結合情報管理部
１３  処方情報管理部
１４  患者情報管理部
１５  診察情報管理部
１６，２１，４５，７１  通信部
１７  処方情報ＤＢ
１８  患者情報ＤＢ
１９  診察情報ＤＢ
２０  受付端末（情報処理装置の一例）
２２  処方箋情報受付部
２３  処方箋情報加工部（加工手段の一例）
２４  ＩＣカードリーダライタ通信部
３０  携帯端末
３１  ＩＣカードリーダライタ通信部（読取手段、出力手段の一例）
３２  処方箋情報記憶部（記憶手段の一例）
３３  処方箋情報表示部
４０  薬剤師端末
４１  ＩＣカードリーダライタ通信部（取得手段の一例）
４２  処方箋情報解析部（復号手段の一例）
４３  処方箋情報整形部
４４  プリンタドライバ
５０  プリンタ
６１  入力装置
６２  表示装置
６３  ＲＡＭ
６４  ＲＯＭ
６５  ＨＤＤ
６６  ＣＰＵ
６７  通信Ｉ／Ｆ
６８  外部Ｉ／Ｆ
６８Ａ  記録媒体
７０  処方箋管理サーバ（管理サーバの一例）
７２  処方履歴管理部
７３  証明書管理部
７４  処方履歴ＤＢ
７５  証明書ＤＢ
【先行技術文献】
【特許文献】
【０１０４】
【特許文献１】特開２００３−２６３５０１号公報
【図１】
2016177461.tif 000003
【図２】
2016177461.tif 000004
【図３】
2016177461.tif 000005
【図４】
2016177461.tif 000006
【図５】
2016177461.tif 000007
【図６】
2016177461.tif 000008
【図７】
2016177461.tif 000009
【図８】
2016177461.tif 000010
【図９】
2016177461.tif 000011
【図１０】
2016177461.tif 000012
【図１１】
2016177461.tif 000013
【図１２】
2016177461.tif 000014